(57)【特許請求の範囲】
【請求項１】
ＬＥＤなどの発光素子からなる表示器（３）と、これを駆動制御する電源ユニット（５）を含む駆動制御回路とを密閉箱形の筐体（２）に収納してなる案内表示装置（１）において、
前記筐体（２）に筐体内部を底板（２ａ）から天板（２ｂ）に渡って上下に貫通し且つ両端を筐体外部に開放して設置されたアルミ製のパイプ（８）からなる管状通風路（９）を設け、
この管状通風路（９）内に前記電源ユニット（５）の側面に並設された複数枚の放熱用フィン（６）を縦向きにして突出させるとともに、
前記並設された放熱用フィン（６）とフィン（６）の各間隙に、管状通風路（９）の内側から対向する放熱用フィン（６）側へ突出していて先端を放熱用フィン（６）の側面に臨ませた隔離板（１０，１１）と、放熱用フィン（６）の根元側から対向する管状通風路（９）の内側へ突出していて先端を前記隔離板（１０，１１）の上面又は下面に臨ませた隔離板（１２）とを適宜な間隔を開けて上下互い違いに設置して構成されていることを特徴とする案内表示装置。
【請求項２】
管状通風路（９）の内側から突出させた隔離板（１０，１１）の先端部を上方又は下方へ折り曲げた請求項１に記載の案内表示装置。
【請求項３】
隔離板（１０，１１，１２）が放熱用フィン（６）の側面に接触させずに設置してある請求項１又は２に記載の案内表示装置。
【発明の詳細な説明】
【０００１】
【発明の属する技術分野】
本発明は、駅構内などに設置され、列車の発車時刻や行き先その他の情報を表示するＬＥＤ（発光ダイオード）などの表示器を備えた案内表示装置に関する。
【０００２】
【従来の技術】
従来、この種の案内表示装置として、図７に示す、多数のＬＥＤが列設された表示器７１とこれを駆動制御する駆動制御回路（図示せず）を収納した筐体７２の内部に、筐体内を上下に貫通し且つ両端を筐体外部に開放したアルミ角筒部材７３を設置し、表示器７１や駆動制御回路の発熱によって筐体内部の温度が上昇し、外気と接するアルミ角筒部材７３の内面側と筐体内部に面する外面側とで温度差が生じた場合に、アルミ角筒部材７３の内部を外気が煙突効果によって上昇（対流）し、これにより筐体内部の温度上昇した空気が自然に熱排出されて筐体内部を冷却する構造のものが知られている（特開平７−１４９２３７号公報参照）。
【０００３】
【発明が解決しようとする課題】
従来の案内表示装置は、アルミ角筒部材７３を介して筐体内部の熱をある程度は放散できるものの、アルミ角筒部材７３を含む筐体自体を放熱器としており、収納された機器を直接冷却するようになってはいないため、真夏の炎天下では装置内部を十分に冷却することができなかった。
【０００４】
とりわけ、駆動制御回路を構成する電源ユニットは、装置に収納された機器の内、最も発熱量が多い反面、コンデンサやパワートランジスタなどの熱に対して弱い部品が多用されていることから、装置内部の高温化に伴い作動が不安定となって装置の誤作動を引き起こす他、電解コンデンサなど実装部品の寿命の低下をもたらし、頻繁に保守・点検を行う必要があった。
【０００５】
一般に電子部品の寿命は「アレニウスの１０℃則」に従い、例えば電解コンデンサを８５℃で連続使用すると寿命が約５００時間であった場合、それよりも１０℃低い７５℃で使用すれば寿命は約５０００時間、２０℃低い６５℃で使用すれば寿命は約１０００００時間にも延びる。従って、表示装置の耐久性及び動作安定性を高める上でも、装置内部の熱を効率的に放散させ、装置に収納された各機器の使用温度をできるだけ低く抑える必要がある。
【０００６】
本発明は、案内表示装置の耐久性の向上及び安定した動作性能の確保を図るべく、装置内部に収納された機器の発熱、特に電源ユニットで発生する熱を効率良く外部に放散できるようにすることを課題とする。
【０００７】
【課題を解決するための手段】
上記課題を解決するため、
ＬＥＤなどの発光素子からなる表示器と、これを駆動制御する電源ユニットを含む駆動制御回路とを密閉箱形の筐体に収納してなる本発明の案内表示装置は、前記筐体に筐体内部を底板から天板に渡って上下に貫通し且つ両端を筐体外部に開放して設置されたアルミ製のパイプからなる管状通風路を設け、この管状通風路内に前記電源ユニット側面に並設された複数枚の放熱用フィンを縦向きにして突出させるとともに、前記並設された放熱用フィンとフィンの各間隙に、管状通風路の内側から対向する放熱用フィン側へ突出していて先端を放熱用フィンの側面に臨ませた隔離板と、放熱用フィンの根元側から対向する管状通風路の内側へ突出していて先端を前記隔離板の上面又は下面に臨ませた隔離板とを適宜な間隔を開けて上下互い違いに設置して構成されていることを特徴とする。
【０００８】
これによれば、機器に取付けられた放熱用フィンは管状通風路を介して外気に直接接触しているので機器の発熱を効率的に放散でき、機器の発熱による筐体内部の温度上昇を抑制することができる。
また、筐体内部の温度上昇により管状通風路が加熱し、又は放熱用フィンの温度上昇とともに管状通風路が加熱されると、煙突効果によって装置外部と通ずる管状通風路内に外気が流入するので、筐体内部の温度上昇した空気又は放熱用フィンの発熱が空気の自然対流によって排出され、筐体内部を冷却させることができる。
この際、放熱用フィンの側面に配された隔離板によって、管状通風路内に流入した外気がフィンの先端部から根元部に蛇行しながら、且つフィンの表面を下側から上側に循環しながら対流し、流入外気の殆ど全てが放熱用フィンの熱の放散に寄与して放熱用フィンを冷却し、対流熱伝達率を高めることができる。
【０００９】
前記構成において、放熱用フィン全体を効率的に冷却するため、並設された放熱用フィンとフィンの各間隙に隔離板を配置することが好ましい。
【００１０】
また、管状通風路の内側から突出させた隔離板の先端部を上方又は下方へ折り曲げれば、管状通風路内に流入した外気の蛇行がより大きくなって、フィンの根元部側へ外気を対流せしめ、冷却効果を高めることができる。
【００１１】
隔離板は、管状通風路の内側から放熱用フィンの側面に突出するものと、放熱用フィンの根元側から突出するものの二枚を少なくとも設ければ、流入外気の流路を蛇行するように規制できるが、外気の流入量などに応じて適宜な枚数に設定することができる。但し、隔離板の設置枚数が多すぎると、外気の流動抵抗が増大して外気の流入量が減り、全体として冷却効果が低下することがある。隔離板の幅や長さなども、放熱用フィンを効率的に冷却できる範囲で適宜に設定することができる。隔離板は放熱用フィンの側面に接触させずに設置してあることが好ましい。また、管状通風路は、円形、矩形何れの断面形状のものでもよいが、断面積が大きい程、外気の流量が増して冷却効果が高まるので、表示装置の大きさや設置環境など許容される範囲内で断面積を大きくすることが好ましい。さらに、通風路の端部に冷却ファンを取付けて外気を強制対流させれば、より高い冷却効果が得られる。
【００１２】
なお、本発明は、表示装置に収納される電源ユニット以外の機器に放熱用フィンを取付け、これを冷却する場合にも適用できるものである。
また、本発明の案内表示装置は、駅構内などに設置される用途のものに限らず、屋外に設置して情報を発光表示する種々の用途のものに適用される。
【００１３】
【発明の実施の形態】
本発明の好適な実施例を図面を参照して説明する。
図１及び図２において、本実施例の案内表示装置１は、駅構内などに設置され、列車の発車時刻や行き先などを表示する装置として構成されたものであり、鋼製の密閉箱形の筐体２の両側面に縦横多数列にＬＥＤを配した表示器３を設け、内部に表示器３を駆動制御する制御回路としてのＣＰＵ回路本体４と直流電源ユニット５とが収納されている。
【００１４】
電源ユニット５の側面に列設された複数枚の放熱用フィン６は、その周囲全体が鋼製又は樹脂製のカバー板７で覆われており、また、電源ユニット５の側方には筐体２の内部を底板２ａから天板２ｂに渡って上下に貫通し、且つ両端を筐体２の外部に開放した矩形断面を有するアルミ製のパイプ８が設置され、このパイプ８とカバー板７とを連通させて管状通風路９を構成し、放熱用フィン６が管状通風路９を介して外気に直接晒されるように設けてある。
【００１５】
また、図３に示されているように、放熱用フィン６が通路内に突出した管状通風路９の内側には、管状通風路９の内側面から対向する放熱用フィン６側へ突出していて、それぞれ先端を放熱用フィン６の側面に臨ませた隔離板１０，１１と、放熱用フィン６の根元側から対向する管状通風路９の内側へ突出していて、先端を隔離板１０の上面と隔離板１１の下面に臨ませた隔離板１２とが、互いに適宜な間隔を開けて互い違いに平行に設置されている。これら隔離板は、図５に示されているように、複数枚並設された放熱用フィン６の各間隙に、各々放熱用フィンの側面には接触させずに、配置してある。
【００１６】
このように構成された本実施例の案内表示装置１によれば、放熱用フィン６がカバー板７とパイプ８からなる管状通風路９を介して外気に接触しているため、電源ユニット５の発熱を筐体２の外部に効率的に放散し、電源ユニット５自体の発熱を抑えるとともに、筐体２の内部温度の上昇を抑制することができる。
また、筐体内部の温度上昇により、或いは放熱用フィン６の温度上昇によって管状通風路９が加熱されると、煙突効果によって管状通風路９内部に外気が流入し、空気の自然対流によって筐体２の内部を冷却させることができる。
【００１７】
この際、図３に示されているように、管状通風路９に流入した外気１３は、隔離板１０，１２，１１の間を、放熱用フィン６の先端部から根元部に渡って蛇行しながら、且つフィンの表面を循環しながら対流し、放熱用フィン６を効率的に冷却する。
すなわち、これら隔離板が設置されていない場合、図４に示されているように、筐体内に密装されている機器に干渉することなく貫流設置された管状通風路９（面積形状的に大きさ制約を受ける）に流入した外気１３は放熱用フィン６と管状通風路９との間隙を通過するに過ぎず、流入外気と放熱用フィン６との熱交換は、その一部が僅かにフィンの先端部分で行われるに過ぎない。
これに対し、３枚の隔離板１０，１２，１１を放熱用フィン６の側方に互い違いに配置した本例では、外気１３の流路が隔離板によって規制され、流入外気の殆どが放熱用フィン６の下部から上部に至る表面全体と接し、放熱用フィン６の全面で熱交換が行われるので、高い対流熱伝達率で放熱用フィン６が冷却される。
【００１８】
なお、図６に示されているように、管状通風路９の内側から突出させた隔離板１０，１１の先端部が斜め上方又は斜め下方に折れ曲がっていれば、流入外気１３を大きく蛇行させて、放熱用フィン６の根元部へ対流する外気１３の流量を多くし、冷却効果をより高めることができる。
【００１９】
【発明の効果】
本発明によれば、案内表示装置内部に収納された機器の内、放熱用フィンを具備した電源ユニットで発生する熱を効率良く外部に放散し、電源ユニット及び筐体内部を十分に冷却することができ、これにより、装置内部の高温化に伴う作動の不安定化・装置の誤作動を防止して安定した動作性能を確保でき、装置の耐久性を向上させることができる。
【図面の簡単な説明】
【図１】本発明の一実施例の案内表示装置の正面図と側面図である。
【図２】図１の装置の横断面図である。
【図３】隔離板を設けた場合の管状通風路内での外気の流通経路を示した図である。
【図４】隔離板がない場合の管状通風路内での外気の流通経路を示した図である。
【図５】図３のＶ−Ｖ線に沿った断面図である。
【図６】隔離板の先端部を折り曲げた場合の管状通風路内での外気の流通経路を示した図である。
【図７】従来の案内表示装置の内部の構造を示した図である。
【符号の説明】
1     案内表示装置
2     筐体
3     表示器
4     ＣＰＵ本体回路
5     電源ユニット
6     放熱用フィン
7     カバー板
8     パイプ
9     管状通風路
10,11,12  隔離板
13     外気の流れ
【図１】
0004402208.tif 000002
【図２】
0004402208.tif 000003
【図３】
0004402208.tif 000004
【図４】
0004402208.tif 000005
【図５】
0004402208.tif 000006
【図６】
0004402208.tif 000007
【図７】
0004402208.tif 000008